(57)【要約】【課題】目の健康及び耳の健康を害する恐れがないようにすることを目的とする。【解決手段】表示デバイス２とスピーカデバイス３とを有し、この表示デバイス２及びスピーカデバイス３を遠隔制御する遠隔制御手段４、５を設けると共にこの表示デバイス２及びスピーカデバイス３を制御操作する操作スイッチ６を装置本体１に設けた表示装置において、この操作スイッチ６を操作したときにこの表示デバイス２のコントラスト及び輝度を所定の値に減衰すると共にこのスピーカデバイス３の音量を所定の値に減衰するようにしたものである。【選択図】図１
2007158525.tif 000002
【特許請求の範囲】
【請求項１】
表示デバイスとスピーカデバイスとを有し、前記表示デバイス及びスピーカデバイスを遠隔制御する遠隔制御手段を設けると共に前記表示デバイス及びスピーカデバイスを制御操作する操作スイッチを装置本体に設けた表示装置において、
前記操作スイッチを操作したときに前記表示デバイスのコントラスト及び輝度を所定の値に減衰すると共に前記スピーカデバイスの音量を所定の値に減衰するようにしたことを特徴とする表示装置。
【請求項２】
請求項１記載の表示装置において、
前記表示デバイスのコントラスト及び輝度を所定の値に減衰する時間と、前記スピーカデバイスの音量を所定の値に減衰する時間とを所定の時間とし、その後、復元するようにしたことを特徴とする表示装置。
【請求項３】
請求項２記載の表示装置において、
前記所定の時間内に前記遠隔制御手段のリモートコマンダよりリモコン信号が供給されたときは、前記表示デバイスのコントラスト及び輝度の所定の値の減衰と、前記スピーカデバイスの音量の所定の値の減衰とを復元するようにしたことを特徴とする表示装置。
【発明の詳細な説明】
【技術分野】
【０００１】
本発明は、テレビジョン受像機等の適用して好適な表示装置に関する。
【背景技術】
【０００２】
一般に、テレビジョン受像機等の表示装置においては、図３に示す如く表示装置本体１に映像画面を表示する表示デバイス２と、音声を放音するスピーカデバイス３とを有している。
【０００３】
この表示デバイス２のコントラスト、輝度等及びスピーカデバイス３の音量等を赤外線のリモートコマンダ４、受光部５等より成る遠隔制御手段により遠隔制御できるように成されていると共にこの表示デバイス２のコントラスト、輝度等及びスピーカデバイス３の音量等を、この表示装置本体１の所定位置に設けた操作スイッチ６により制御操作ができるようになされている。
【０００４】
また、テレビジョン受像機等の表示装置においては、視聴する際、表示デバイス２のコントラスト、輝度等及びスピーカデバイス３の音量等は視聴者の位置に関係なく、設定により決定する如くなされていた。
【発明の開示】
【発明が解決しようとする課題】
【０００５】
ところで、ＤＶＤプレーヤ等の接続装置の設定等の際に一時的に視聴者がこの表示装置本体１に接近した状態で設定操作を行う場合があり、この場合、この表示装置の表示デバイス２が目の健康を害する恐れのある映像を表示していることや、スピーカデバイス３が耳の健康を害する恐れのある大音量の設定となっていることがあり、このときは、目の健康及び耳の健康を害する恐れのある不都合があった。
【０００６】
本発明は、斯かる点に鑑み、目の健康及び耳の健康を害する恐れがないようにすることを目的とする。
【課題を解決するための手段】
【０００７】
本発明表示装置は、表示デバイスとスピーカデバイスとを有し、この表示デバイス及びスピーカデバイスを遠隔制御する遠隔制御手段を設けると共にこの表示デバイス及びスピーカデバイスを制御操作する操作スイッチを装置本体に設けた表示装置において、この操作スイッチを操作したときにこの表示デバイスのコントラスト及び輝度を所定の値に減衰すると共にこのスピーカデバイスの音量を所定の値に減衰するようにしたものである。
【発明の効果】
【０００８】
本発明においては、視聴者（使用者）が、表示装置本体の操作スイッチを操作したときは、視聴者が表示装置本体のごく近い所に居ると判断し、表示デバイスのコントラスト及び輝度を所定の値に減衰すると共にこのスピーカデバイスの音量を所定の値に減衰するので、目の健康及び耳の健康を害する恐れがないようにすることができる。
【発明を実施するための最良の形態】
【０００９】
以下、図面を参照して本発明表示装置を実施するための最良の形態の例につき説明する。
【００１０】
本例表示装置も図３と同様に構成されたもので、表示装置本体１に映像画面を表示する表示デバイス２と、音声を放音するスピーカデバイス３とを有している。
【００１１】
この表示デバイス２のコントラスト、輝度等及びスピーカデバイス３の音量等を例えば赤外線のリモートコマンダ４、受光部５等より成る周知の遠隔制御手段により遠隔制御できるように成されていると共にこの表示デバイス２のコントラスト、輝度等及びスピーカデバイス３の音量等を、この表示装置本体１の所定位置に設けた操作スイッチ６により制御操作ができるようになされている。
【００１２】
図１は、本例表示装置の要部の構成を示す。図１において、７は映像信号が供給される映像信号入力端子を示し、この映像信号入力端子７に供給される映像信号を、表示デバイス２における表示画像のコントラスト、輝度等を制御する表示画像制御部８を介して表示デバイス２に供給する。
【００１３】
この表示画像制御部８はマイクロコンピュータより成るコントローラー部９の指示に従って表示画像のコントラスト、輝度等を制御するようになされている。
【００１４】
また、図１において、１０は音声信号が供給される音声信号入力端子を示し、この音声信号入力端子１０に供給される音声信号を、この音声信号の音量等を制御する音量制御部１１を介してスピーカデバイス３に供給する。
【００１５】
この音量制御部１１はマイクロコンピュータより成るコントローラー部９の指示に従って音量等を制御するようになされている。
【００１６】
このコントローラー部９は表示装置全体を制御するようになされたものであり、この表示装置本体１に設けた操作スイッチ６よりのこの操作スイッチ６に応じた操作信号を、このコントローラー部９の一の入力端子９ａに供給する如くする。
【００１７】
このコントローラー部９は、この操作スイッチ６の操作に応じた制御を行う如くなされたもので、例えば表示デバイス２の輝度を調整する操作スイッチ６が操作されたときは操作に応じた輝度調整の制御信号を、このコントローラー部９から表示画像制御部８に供給して表示デバイス２の輝度を調整する。
【００１８】
また、例えば表示デバイス２のコントラストを調整する操作スイッチ６が操作されたときは操作に応じたコントラスト調整の制御信号を、このコントローラー部９から表示画像制御部８に供給して表示デバイス２のコントラストを調整する。
【００１９】
また、例えばスピーカデバイス３の音量を調整する操作スイッチ６が操作されたときは操作に応じた音量調整の制御信号を、このコントローラー部９から音量制御部１１に供給してスピーカデバイス３の音量を調整する。その他の操作スイッチ６を操作したときも上述同様にしてコントローラー部９よりの制御信号により操作スイッチ６の操作に応じた制御がなされる。
【００２０】
また、遠隔制御装置を構成するリモートコマンダ４よりのリモコン信号を受光部５で受信したときは、このリモコン信号をコントローラー部９の他の入力端子９ｂに供給する如くする。
【００２１】
このコントローラー部９は、このリモコン信号に応じた制御を行う如くなされたもので、例えば表示デバイス２の輝度を調整するリモコン信号が供給されたときはこのリモコン信号に応じた輝度調整の制御信号を、このコントローラー部９から表示画像制御部８に供給して表示デバイス２の輝度を調整する。
【００２２】
また、例えば表示デバイス２のコントラストを調整するリモコン信号が供給されたときはこのリモコン信号に応じたコントラスト調整の制御信号を、このコントローラー部９から表示画像制御部８に供給して表示デバイス２のコントラストを調整する。
【００２３】
また、例えばスピーカデバイス３の音量を調整するリモコン信号が供給されたときはこのリモコン信号に応じた音量調整の制御信号を、このコントローラー部９から音量制御部１１に供給してスピーカデバイス３の音量を調整する。その他のリモコン信号が供給されたときも上述同様にしてコントローラー部９よりの制御信号によりこのリモコン信号に応じた制御がなされる。
【００２４】
本例においては、この表示装置本体１の操作スイッチ６を操作したときに、視聴者が表示装置本体１のごく近くに居ると判断し、所定時間例えば１０秒間この表示デバイス２のコントラスト及び輝度を所定の値に減衰すると共にこのスピーカデバイス３の音量を所定の値に減衰するようにする。
【００２５】
この場合、本例においては、コントローラー部９の一の入力端子９ａに操作スイッチ６の操作信号を供給するようにしているので、コントローラー部９は表示装置本体１に設けた操作スイッチ６が操作されたことを、この一の入力端子９ａへの操作信号の入力により知ることができる。
【００２６】
この表示デバイス２のコントラスト及び輝度の所定の値への減衰については、予め経験的に目の健康に害さないコントラスト及び輝度となる減衰制御信号をコントローラー部９内のメモリ９ｃに記憶しておき、操作スイッチ６の操作信号がコントローラー部９の一の入力端子９ａに供給されたときに、このメモリ９ｃに予め記憶した、この減衰制御信号を読み出して表示画像制御部８に供給して、表示デバイス２のコントラスト及び輝度を所定の値に減衰すると共に現在のコントラスト及び輝度の制御信号をこのメモリ９ｃに記憶する如くする。
【００２７】
また、スピーカデバイス３の音量の所定の値への減衰については、予め経験的に耳の健康に害さない音量となる減衰制御信号をコントローラー部９内のメモリ９ｃに記憶しておき、操作スイッチ６の操作信号がコントローラー部９の一の入力端子９ａに供給されたときに、このメモリ９ｃに予め記憶した、この減衰制御信号を読み出して音量制御部１１に供給して、スピーカデバイス３の音量を所定の値に減衰すると共に現在の音量の制御信号をこのメモリ９ｃに記憶する如くする。
【００２８】
本例においては、このコントローラー部９内にカウントダウンによるタイマー９ｄを設け、この操作スイッチ６の操作信号がコントローラー部９の一の入力端子９ａに供給されたときに、このタイマー９ｄを所定の時間例えば１０秒間に設定する。
【００２９】
また、本例においては、このタイマー９ｄがタイムアウトしたときは、このコントローラー部９は、メモリ９ｃに記憶した元のコントラスト及び輝度の制御信号を表示画像制御部８に供給し、表示デバイス２のコントラスト及び輝度を復元すると共に、メモリ９ｃに記憶した元の音量の制御信号を音量制御部１１に供給し、スピーカデバイス３の音量を復元する如くする。
【００３０】
また、本例においては、この表示デバイス２のコントラスト及び輝度を所定の値に減衰中であると共にこのスピーカデバイス３の音量を所定の値に減衰中に、リモートコマンダ４からのリモコン信号が受光部５を介してコントローラー部９の他の入力端子９ｂに供給されたときは、コントローラー部９は視聴者がこの表示装置本体１より離れたと判断し、メモリ９ｃより元のコントラスト及び輝度の制御信号を読み出して表示画像制御部８に供給して、表示デバイス２のコントラスト及び輝度を復元すると共に、メモリ９ｃより元の音量の制御信号を読み出して音量制御部１１に供給して、スピーカデバイス３の音量を復元する如くする。
【００３１】
次に、本例による動作につき、図２のフローチャートを参照して説明する。この図２においては、ステップＳ１でこのコントローラー部９の一の入力端子９ａに操作スイッチ６の操作信号が供給されたのか、リモートコマンダ４からのリモコン信号が受光部５を介してコントローラー部９の他の入力端子９ｂに供給されたのか、タイマー９ｄがタイムアウトしたのか判断している。
【００３２】
ステップＳ１で操作スイッチ６の操作信号が供給されたと判断したときは、ステップＳ２でこの表示デバイス２のコントラスト及び輝度が所定の値に減衰中であるかどうかを判断すると共にこのスピーカデバイス３の音量を所定の値に減衰中であるかどうかを判断し、減衰中でないときは、コントローラー部９はこのメモリ９ｃに予め記憶した、この減衰制御信号を読み出して表示画像制御部８に供給して、表示デバイス２のコントラスト及び輝度を所定の値に減衰すると共にコントローラー部９はこのメモリ９ｃに予め記憶した、この減衰制御信号を読み出して音量制御部１１に供給して、スピーカデバイス３の音量を所定の値に減衰する（ステップＳ３、ステップＳ４）。
【００３３】
また、この時タイマー９ｄを所定の時間例えば１０秒間に設定する（ステップＳ５）。その後、ステップＳ１に戻る。
【００３４】
ステップＳ２で、この表示デバイス２のコントラスト及び輝度を所定の値に減衰中であると共にこのスピーカデバイス３の音量を所定の値に減衰中であるときは、タイマー９ｄを再設定し（ステップＳ６）、ステップＳ１に戻る。この場合コントローラー部９において、操作された操作スイッチ６の操作信号に応じた制御操作が行われることは勿論である。
【００３５】
ステップＳ１で、タイマー９ｄがタイムアウトしたときは、上述減衰制御を行わない（オフ）如くし（ステップＳ７）、メモリ９ｃに記憶した元のコントラスト及び輝度の制御信号を読み出し、この元のコントラスト及び輝度の制御信号をこの表示画像制御部８に供給し、表示デバイス２のコントラスト及び輝度を復元すると共に、メモリ９ｃに記憶した元の音量の制御信号を読み出し、この元の音量の制御信号を音量制御部１１に供給し、スピーカデバイス３の音量を復元し（ステップＳ８）、ステップＳ１に戻る。
【００３６】
また、この表示デバイス２のコントラスト及び輝度を所定の値に減衰中であると共にこのスピーカデバイス３の音量を所定の値に減衰中であるときに、リモートコマンダ４からのリモコン信号が受光部５を介してコントローラー部９の他の入力端子９ｂに供給されたときは、この減衰制御をやめ（オフ）にし（ステップＳ９）、メモリ９ｃに記憶した元のコントラスト及び輝度の制御信号を読み出し、この元のコントラスト及び輝度の制御信号を表示画像制御部８に供給し、表示デバイス２のコントラスト及び輝度を復元すると共に、メモリ９ｃに記憶した元の音量の制御信号を読み出し、この元の音量の制御信号を音量制御部１１に供給し、スピーカデバイス３の音量を復元する（ステップＳ１０）。
【００３７】
その後、タイマー９ｄをリセットして（ステップＳ１１）、ステップＳ１に戻る。この場合、このコントローラー部９は、この入力されたリモコン信号に応じた制御を行うことは勿論である。
【００３８】
以上述べた如く、本例においては、視聴者（使用者）が、表示装置本体１の操作スイッチ６を操作したときは、視聴者が表示装置本体１のごく近い所に居ると判断し、表示デバイス２のコントラスト及び輝度を所定の値に減衰すると共にこのスピーカデバイス３の音量を所定の値に減衰するので、目の健康及び耳の健康を害する恐れがないようにすることができる。
【００３９】
尚、本発明は上述例に限ることなく、本発明の要旨を逸脱することなく、その他種々の構成が採り得ることは勿論である。
【図面の簡単な説明】
【００４０】
【図１】本発明表示装置を実施するための最良の形態の例の要部を示す構成図である。
【図２】本発明の説明に供するフローチャートである。
【図３】表示装置の例を示す正面図である。
【符号の説明】
【００４１】
１…表示装置本体、２…表示デバイス、３…スピーカデバイス、４…リモートコマンダ、５…受光部、６…操作スイッチ、７…映像信号入力端子、８…表示画像制御部、９…コントローラー部、１０…音声信号入力端子、１１…音量制御部
【図１】
2007158525.tif 000003
【図２】
2007158525.tif 000004
【図３】
2007158525.tif 000005